(57)【要約】  担当セルを更新するための方法および装置において、無線ネットワーク制御装置（ＲＮＣ）から、担当セル更新時間を含む無線リンク（ＲＬ）セットアップ要求を受信することと、無線リンクセットアップ要求にしたがって、更新時間において、ノードＢセルを担当セルへとハンドオフすることとを含む。本発明は、ターゲットノードＢのシグナリングフローを簡潔にして、機能に関する先行技術の要求を完全に満たし、担当セルの処理速度を改善し、サービススループットとソフトスイッチに影響を及ぼすことなく、全体のシステムのシグナリング処理の遅延を短縮させる。対話シグナリングの減少は、送信リソースを節約する。【選択図】図２
2010501152.tif 000002
【特許請求の範囲】
【請求項１】
無線ネットワーク制御装置（ＲＮＣ）から、担当セル更新時間を含む無線リンク（ＲＬ）セットアップ要求を受信することと、
前記無線リンクセットアップ要求にしたがって、前記更新時間において、ノードＢセルを担当セルへとハンドオフすることと
を含む、担当セルを更新する方法。
【請求項２】
前記ＲＬセットアップ要求は、担当セル更新接続フレーム番号（ＣＦＮ）情報エレメントを含み、前記担当セル更新ＣＦＮ情報エレメントは、担当セル更新のＣＦＮを伝え、前記更新時間は、前記担当セル更新ＣＦＮによって指示される時間である、請求項１記載の担当セルを更新する方法。
【請求項３】
前記ＲＬセットアップ要求は、前記担当セル更新ＣＦＮ情報エレメントの有効性の状態をさらに含み；
ノードＢセルを担当セルへとハンドオフすることは、
前記担当セル更新ＣＦＮ情報エレメントが有効である場合、前記担当セル更新ＣＦＮ情報エレメントによって指示される時間において、前記ノードＢセルを前記担当セルへとハンドオフすること
を含む、請求項２記載の担当セルを更新する方法。
【請求項４】
前記担当セル更新ＣＦＮ情報エレメントが有効である場合、前記方法は、
前記ノードＢによって、次に来る担当セル更新ＣＦＮによって指示される時間において、新しい担当ＲＬに対して割り当てられたリソースを起動させること
をさらに含む、請求項３記載の担当セルを更新する方法。
【請求項５】
前記担当セル更新ＣＦＮ情報エレメントが無効である場合、前記方法は、
前記ノードＢセルのＲＬをセットアップするが、前記ノードＢセルを前記担当セルへとハンドオフしないこと
をさらに含む、請求項３記載の担当セルを更新する方法。
【請求項６】
ＲＬセットアップ応答を前記ＲＮＣに送ることと、
ユーザ機器が、前記担当セル更新ＣＦＮによって指示される時間において、前記ノードＢセルを前記担当セルへとハンドオフするように、前記ＲＮＣによって、ＲＬアクティブセット更新を前記ユーザ機器に送ることと
をさらに含む、請求項２記載の担当セルを更新する方法。
【請求項７】
前記ＲＬセットアップ要求が、前記担当セル更新に対応する担当ＲＬ情報を含んでいない場合、ＲＬセットアップ失敗応答を前記ＲＮＣに戻すこと
をさらに含む、請求項１ないし６のいずれか１項記載の担当セルを更新する方法。
【請求項８】
前記担当セルは、高速ダウンリンクパケット接続担当セル、高速アップリンクパケット接続担当セル、または、高速パケット接続担当セルである、請求項１記載の担当セルを更新する方法。
【請求項９】
ノードＢとのシグナリングと対話して、無線リンク（ＲＬ）をセットアップし、また、ＲＬセットアップ要求を送ることにより、担当セル更新時間をノードＢに通知するように適応されている、ＲＮＣ無線リンク（ＲＬ）セットアップユニットと、
前記更新時間にしたがって、担当セルを前記ノードＢセルへとハンドオフするように適応されている、ＲＮＣ担当セル更新ユニットと
を具備する、担当セルを更新する装置。
【請求項１０】
前記ＲＬセットアップ要求は、担当セル更新接続フレーム番号（ＣＦＮ）情報エレメントを含み、前記担当セル更新ＣＦＮ情報エレメントは、担当セル更新のＣＦＮを伝え、前記更新時間は、前記担当セル更新ＣＦＮによって指示される時間である、請求項９記載の担当セルを更新する装置。
【請求項１１】
前記装置はＲＮＣである、請求項９記載の担当セルを更新する装置。
【請求項１２】
無線リンク制御装置（ＲＮＣ）とのシグナリングと対話するように適応されており、ＲＬセットアップ要求中で伝えられる担当セル更新時間を受信することを含む、ノードＢ無線リンク（ＲＬ）セットアップユニットと、
前記担当セル更新時間において、ノードＢセルを担当セルへとハンドオフするように適応されているノードＢ担当セル更新ユニットと
を具備する、担当セルを更新する装置。
【請求項１３】
前記ＲＬセットアップ要求は、担当セル更新接続フレーム番号ＣＦＮ情報エレメントを含み、前記担当セル更新ＣＦＮ情報エレメントは、担当セル更新のＣＦＮを伝え、前記更新時間は、前記担当セル更新ＣＦＮによって指示される時間である、請求項１２記載の担当セルを更新する装置。
【請求項１４】
前記ノードＢ ＲＬセットアップユニットは、リンク情報モジュールをさらに備え、前記リンク情報モジュールは、前記ＲＬセットアップ要求が、前記担当セル更新に対応する担当ＲＬ情報を含むか否か検出するように適応されており；含む場合、前記ノードＢ ＲＬセットアップユニットによって、前記担当セル更新時間を前記担当セル更新ユニットに出力し；含まない場合、前記ノードＢ ＲＬセットアップユニットによって、ＲＬセットアップ失敗応答を戻す、請求項１３記載の担当セルを更新する装置。
【請求項１５】
前記装置はノードＢである、請求項１２記載の担当セルを更新する装置。
【発明の詳細な説明】
【関連出願】
【０００１】
本発明は、２００６年８月８日に出願され、“担当セルを更新するための方法と装置”と題された、中国特許出願第２００６１００６２２２０．２号、および、２００６年１２月３０日に出願され、“担当セルを更新するための方法と装置”と題された、中国特許出願第２００６１０１３０７６９．０号に対する優先権を主張し、これらの中国特許出願は、その全体において、ここで参照により組み込まれている。
【発明の分野】
【０００２】
本発明は、移動体通信の分野に関連し、より詳細には、担当セルを更新するための方法と装置に関連する。
【背景技術】
【０００３】
高速ダウンリンクパケット接続（ＨＳＤＰＡ）は、ダウンリンクデータレートを改善して、アップリンク／ダウンリンクデータサービスの非対称の要求を満たすための、３ＧＰＰ Ｒ５において提案されている技術である。ＨＳＤＰＡは、広帯域コード分割多元接続（ＷＣＤＭＡ）システムの進展の次のステップであるとして考えられており、以前のＷＣＤＭＡ構造に基づいて、データをダウンロードするための送信レートを１４．４Ｍｂｐｓにまで改善できる。ＷＣＤＭＡネットワークを構築する後半の段階において、ダウンリンク容量と、データサービスのレートを改善するために、この技術が重要である。これは、チャネルコードと送信電力における、ＨＳＤＰＡの共用を実現し、適応的変調コーディング（ＡＭＣ）、ハイブリッド自動再送要求（ＨＡＲＱ）、高速スケジューリングのような、データレートをさらに改善する技術を採用する。このようにして、ＨＳＰＤＡは、システム容量と、スペクトル効率と、サービス品質（ＱｏＳ）とを大いに改善する。
【０００４】
ＨＳＤＰＡシステムにおいて、高速ダウンリンク共用チャネル（ＨＳ−ＤＳＣＨ）は、ユーザデータを送信するように適応されており、ＨＳ−ＤＳＣＨは、複数のユーザのデータを送信できる。ＨＳ−ＤＳＣＨ上で伝えられるすべてのユーザは、時間とチャネルコードによって、ＨＳ−ＤＳＣＨを共用することができる。ＨＳ−ＤＳＣＨは、２ミリ秒毎にデータを送信し、すなわち、送信時間間隔（ＴＴＩ）は、２ミリ秒である。異なるユーザは、異なるＴＴＩにおいてデータを送信でき、または、異なるチャネルコードを使用することによって、同一のＴＴＩにおいてデータを送信できる。
【０００５】
ＨＳＤＰＡ物理層において、高速物理ダウンリンク共用チャネル（ＨＳ−ＰＤＳＣＨ）と、ＨＳ−ＤＳＣＨのための共用制御チャネル（ＨＳ−ＳＣＣＨ）とがダウンリンクに追加され、ＨＳ−ＤＳＣＨのための専用物理制御チャネル（ＨＳ−ＤＰＣＣＨ）がアップリンクに追加される。ＨＳＤＰＡは、ソフトハンドオフをサポートせず、すなわち、１つのセルだけのＨＳ−ＰＤＳＣＨが、それぞれのユーザ機器（ＵＥ）にデータを送信する。したがって、セルは、ＨＳＤＰＡ担当セルと呼ばれる。
【０００６】
ＨＳＤＰＡが導入された後、高速アップリンクパケットアクセス（ＨＳＵＰＡ）もまた導入され、ダウンリンク上の負荷の増加によってもたらされるアップリンク容量の不足を防止して、平均アップリンクスループット、システムおよび単一ユーザの容量をさらに改善し、遅延を減少させており、したがって、マルチメディアサービスと送信パケットをよりよく配備している。これは、３ＧＰＰ Ｒ６によって導入された、アップリンク送信レートを改善するための新しい技術である。これは、ノードＢの高速スケジューリングと、物理層中のＨＡＲＱと、ソフトハンドオフと、２ミリ秒ＴＴＩショートフレーム送信技術とを採用する。理論上では、これは、最大５．７６Ｍｂｐｓのレートをサポートする。
【０００７】
ＨＳＵＰＡは、拡張専用チャネル（Ｅ−ＤＣＨ）を主に追加する。これは、物理層中に以下の物理チャネルを追加する：アップリンク上に、Ｅ−ＤＣＨ専用物理制御チャネル（Ｅ−ＤＰＣＣＨ）と、Ｅ−ＤＣＨ専用物理データチャネル（Ｅ−ＤＰＤＣＨ）とを追加し、ダウンリンク上に、Ｅ−ＤＣＨ絶対グラントチャネル（Ｅ−ＡＧＣＨ）と、Ｅ−ＤＣＨ相対グラントチャネル（Ｅ−ＲＧＣＨ）と、Ｅ−ＤＣＨ ＨＡＲＱ肯定応答インジケータチャネル（Ｅ−ＨＩＣＨ）とを追加する。アップリンクＥ−ＤＰＤＣＨを適応させて、アップリンク上でＨＳＵＰＡユーザのデータを伝え、Ｅ−ＤＰＣＣＨを適応させて、Ｅ−ＤＰＤＣＨ上で関係するシグナリングを伝え、復調する。ダウンリンクＥ−ＡＧＣＨは、共通チャネルであり、その中にユーザの担当Ｅ−ＤＣＨのＲＬが存在するセルは、利用可能な最大送信レートまたは最大電力をＵＥに指示し；ダウンリンクＥ−ＲＧＣＨは、専用チャネルであり、２ミリ秒の間隔で、ＵＥのアップリンク送信レートを調整でき；ダウンリンクＥ−ＨＩＣＨは、専用チャネルであり、プロセス中でユーザによって受信されたデータが、正しいか否かチェックし、肯定応答（ＡＣＫ）情報エレメントと、否定肯定応答（ＮＡＣＫ）情報エレメントとを報告するように適応されている。
【０００８】
ＨＳＵＰＡは、ソフトハンドオフをサポートする。ＵＥは、複数のセルとのＥ−ＤＣＨを確立できる。それぞれのセルは、ダウンリンク上で、Ｅ−ＲＧＣＨと、Ｅ−ＨＩＣＨとを持つことができるが、それぞれのＵＥは、あるセル中のＥ−ＡＧＣＨの絶対グラントだけを受信し、これをＨＳＵＰＡ担当セルと呼ぶ。
【０００９】
ＵＥのアップリンクおよびダウンリンクサービスが、Ｅ−ＤＣＨおよびＨＳ−ＤＳＣＨ上で伝えられる場合、ＵＥのＨＳＤＰＡ担当セルと、ＵＥのＨＳＵＰＡ担当セルとは、同一でなければならない。このケースでは、このセルは、高速パケットアクセス（ＨＳＰＡ）担当セルと呼ばれる。
【００１０】
あるノードＢのセルから別のノードＢのセルに、ＵＥをハンドオフする必要があるとき、ＵＥは、通常、現在のアクティブセットに対してソフトハンドオフを追加し、ＨＳＵＰＡ、ＨＳＤＰＡ、または、ＨＳＰＡ担当セルに対する新しいセルを構成する要求を開始する。図１は、ネットワーク側におけるシグナリングフローを示す。
【００１１】
１０１：ＲＮＣが、ＲＬセットアップ要求をターゲットノードＢに送り、ターゲットノードＢのセルにおいて、ＵＥに対するＲＬをセットアップする。
【００１２】
１０２：ＲＮＣは、ターゲットノードＢからＲＬセットアップ応答を受信する。
【００１３】
１０３：ＲＮＣは、ターゲットノードＢに対する、ＲＬの再構成を開始し、ＲＬ再構成準備シグナリングによって、ＨＳＰＡ担当セルの新しいセルを構成することをターゲットノードＢに通知する。
【００１４】
１０４：ＲＮＣは、ターゲットノードＢから、ＲＬ再構成準備完了情報エレメントを受信する。
【００１５】
１０５：ＲＮＣは、接続フレーム番号（ＣＦＮ）を含む、ＲＬ再構成コミットシグナリングをターゲットノードＢに送る。
【００１６】
ＣＦＮは、専用無線フレームに基づいた、ＵＥ、ＲＮＣ、およびノードＢに対する統一されたタイミングである。これは、ＣＦＮ時間を指定し、この時間において、ＵＥ、ＲＮＣ、およびターゲットノードＢが、ＲＬ再構成準備シグナリング中のパラメータにしたがって、ターゲットノードＢセルを担当セルとして同時に変更する。ＣＦＮの値は、０から２５５の範囲に及ぶ。
【００１７】
１０６：ＲＮＣは、ＲＬ再構成準備シグナリングによって、オリジナルノードＢのセルを設定するためのパラメータを、オリジナルノードＢの非−ＨＳＰＡ担当セルに送る。
【００１８】
１０７：ＲＮＣは、オリジナルノードＢから、ＲＬ再構成準備完了シグナリングを受信する。
【００１９】
１０８：ＲＮＣは、ＣＦＮを含む、ＲＬ再構成コミットシグナリングをオリジナルノードＢに送る。
【００２０】
ＣＦＮ時間において、オリジナルノードＢは、担当セルとしてセルを使用することを停止する。
【００２１】
１０９：ＲＮＣは、ＲＬアクティブセット更新シグナリングをＵＥに送って、ＣＦＮ時間において、新しいセルを担当セルとして使用し始めることを、ＵＥに通知する。
【００２２】
１１０：ＵＥによって、ＲＬアクティブセットを更新すると、ＵＥは、アクティブセット更新完了情報エレメントをＲＮＣに報告する。
【００２３】
以前の、ターゲットノードＢ中の担当セル更新フローが、２つのステップをカバーすることが分かり、すなわち、新しいセル中でＲＬをセットアップするステップと、再構成シグナリングを通して担当セルを更新するステップとである。結果として、少なくとも５つのシグナリングが、ＲＮＣとノードＢとの間で対話される必要があり、これによって、送信リソースを浪費しており、フロー効率を低下させている。シグナリング対話は、担当セルを更新するのに必要とされる時間を延長させるかもしれず、サービススループットを低減させるかもしれず、ソフトスイッチの失敗さえも、もたらすかもしれない。
【発明の概要】
【００２４】
本発明の実施形態は、担当セルを更新するための方法および装置を提供して、その中で、あるノードＢのセルから別のノードＢのセルに、ＵＥをハンドオフする必要がある担当セル更新フローを簡潔にし、システム中のシグナリングフローの数と、リソースの浪費とを減少させる。
【００２５】
上記の目的を達成するために、本発明の実施形態は、担当セルを更新する方法を提供する。方法は、無線ネットワーク制御装置（ＲＮＣ）から、担当セル更新時間を含む無線リンク（ＲＬ）セットアップ要求を受信することと、無線リンクセットアップ要求にしたがって、更新時間において、ノードＢセルを担当セルへとハンドオフすることとを含む。
【００２６】
好ましくは、本発明の実施形態は、担当セルを更新する装置をさらに提供する。装置は、ノードＢとのシグナリングと対話して、ＲＬをセットアップし、また、ＲＬセットアップ要求を送ることにより、担当セル更新時間をノードＢに通知するように適応されている、ＲＮＣ無線リンク（ＲＬ）セットアップユニットと、更新時間にしたがって、担当セルをノードＢセルへとハンドオフするように適応されている、ＲＮＣ担当セル更新ユニットとを具備する。
【００２７】
本発明の実施形態は、別の担当セル制御装置をさらに提供し、装置は、無線リンク制御装置（ＲＮＣ）とのシグナリングと対話するように適応されており、ＲＬセットアップ要求中で伝えられる担当セル更新時間を受信することを含む、ノードＢ無線リンク（ＲＬ）セットアップユニットと、担当セル更新時間において、ノードＢセルを担当セルへとハンドオフするように適応されているノードＢ担当セル更新ユニットとを具備する。
【００２８】
本発明の実施形態において、ノードＢは、ＲＬセットアップ要求シグナリング中で、担当セル更新ＣＦＮを通知され；したがって、本発明の実施形態は、ターゲットノードＢ ＲＬ再構成のシグナリング対話プロセスを省略し、一方で、担当セル更新の間の、ターゲットノードＢのシグナリングフローを簡潔にして、機能に関する先行技術の要求を完全に満たし、担当セルの処理速度を改善し、サービススループットとソフトスイッチに影響を及ぼすことなく、全体のシステムのシグナリング処理の遅延を短縮させる。対話シグナリングの減少は、送信リソースを節約する。
【図面の簡単な説明】
【００２９】
【図１】図１は、先行技術の通信システムにおける担当セルハンドオフを示すフローチャートである。
【図２】図２は、本発明において担当セルを更新する方法の実施形態を示すフローチャートである。
【図３】図３は、本発明において担当セルを更新するシステムの実施形態を示す構造図である。
【詳細な説明】
【００３０】
以下では、図面に基づいて、本発明をさらに詳細に説明して、本発明の目的、技術的スキーム、および利点をより明らかにする。
【００３１】
ＲＬセットアップ要求中にオプション的な担当セル更新ＣＦＮ情報エレメントを追加することによって、本発明の実施形態を実現してもよく、担当セル更新ＣＦＮ情報エレメントは、担当セル更新ＣＦＮによって指示される時間において、ノードＢが、ノードＢセルを担当セルに更新することを指示する、担当セル更新のＣＦＮを含む。ノードＢの新しいセルに対して、または、ターゲットノードＢのセルに対して、ＵＥがハンドオフされるとき、担当セルをターゲットノードＢのセルへと更新する必要がある場合、ＲＬセットアップ要求中の担当セル更新ＣＦＮ情報エレメントが有効であり、ＲＮＣは、担当セル更新ＣＦＮ情報エレメントにしたがって、ノードＢが担当セルを更新し始める時間を設定する。
【００３２】
担当セル更新ＣＦＮ情報エレメントがオプション的であるとき、ＲＮＣは、担当セル更新ＣＦＮ情報エレメントを、ＲＬセットアップ要求中に含めることによって、または、ＲＬセットアップ要求から除外することによって、担当セルを更新するか否かをノードＢに通知することを実現してもよい。言い換えると、受信されたＲＬセットアップ要求が、担当セル更新ＣＦＮ情報エレメントを含む場合、ノードＢは、ＲＬセットアップ要求にしたがって、ＲＬをセットアップするだけでなく、また、担当セル更新ＣＦＮ情報エレメントによって指示される時間にしたがって、ノードＢセルを担当セルへとハンドオフする。先行技術におけるもののように、担当セル更新ＣＦＮ情報エレメントがＲＬセットアップ要求中に含まれていない場合、ノードＢは、ノードＢセルを担当セルへとハンドオフすることなく、ＲＬセットアップ要求にしたがって、ＲＬをセットアップするだけである。
【００３３】
ＲＬセットアップ要求が、担当セル更新ＣＦＮ情報エレメントだけでなく、対応する担当ＲＬ情報も含む場合、ＲＬセットアップ要求中の担当セル更新ＣＦＮ情報エレメントは有効であり；ＲＬセットアップ要求が、担当セル更新ＣＦＮ情報エレメントを含むが、対応する担当ＲＬ情報は含まないとき、担当セル更新ＣＦＮ情報エレメントは無効であり、ノードＢは失敗の応答を戻す。
【００３４】
図２は、本発明の実施形態において、ノードＢの間で担当セルが更新されるフロー図を示す。
【００３５】
２０１：ＲＮＣは、担当セル更新ＣＦＮ情報エレメントを含む、ＲＬセットアップ要求を送り、これは、担当セルを更新するための時間をターゲットノードＢに通知して、ターゲットノードＢのセル中のＵＥに対して、ＲＬをセットアップさせるように構成されている。
【００３６】
２０２：ＲＮＣは、ターゲットノードＢから、ＲＬセットアップ応答を受信する。
【００３７】
ＲＬセットアップ要求中の担当セル更新ＣＦＮ情報エレメントが有効である場合、ターゲットノードＢは、次に来るＣＦＮによって指示される時間において、新しい担当ＲＬに対して割り当てられたリソースを起動させる。
【００３８】
ＲＬセットアップ要求中の担当セル更新ＣＦＮ情報エレメントは有効であるが、ＲＬセットアップ要求中に対応する担当ＲＬ情報が何もない場合、ターゲットノードＢは、ＲＬセットアップ失敗メッセージをＲＮＣに戻す。
【００３９】
２０３：ＲＮＣは、ＲＬ再構成準備シグナリングによって、ノードＢ中のオリジナルセルを非−ＨＳＰＡ担当セルに設定するためのパラメータをオリジナルノードＢに送る。
【００４０】
２０４：ＲＮＣは、オリジナルノードＢから、ＲＬ再構成準備完了シグナリングを受信する。
【００４１】
２０５：ＲＮＣは、担当セル更新ＣＦＮ情報エレメントを含む、ＲＬ再構成開始シグナリングをオリジナルノードＢに送る。
【００４２】
担当セル更新ＣＦＮ情報エレメントによって指示される時間において、オリジナルノードＢは、オリジナルノードＢセルを担当セルとして使用するのを停止する。
【００４３】
２０６：ＲＮＣは、ＲＬアクティブセット更新をＵＥに送って、担当セル更新ＣＦＮ情報エレメントによって指示される時間において、ターゲットノードＢセルを担当セルへとハンドオフするようにＵＥに通知する。
【００４４】
２０７：ＲＬアクティブセットを更新すると、ＵＥは、アクティブセット更新完了をＲＮＣに報告する。
【００４５】
プログラムによって、関連するハードウェアに命令することを通して、上記の方法の実施形態における、すべてまたは一部のステップが実現されることを当業者は理解するだろう；コンピュータの読取可能記憶媒体中にプログラムを記憶させてもよく；実行されるときに、プログラムは、上記の方法の実施形態における、すべてまたは一部のステップを含んでいてもよい。記憶媒体は、読出専用記憶媒体、ランダムアクセスメモリ、磁気ディスク、コンパクトディスク等であってもよい。
【００４６】
本発明の担当セルを更新するためのシステムの実施形態は、図３に示すような構造を持っていてもよい。
【００４７】
ＲＮＣ３１０は、ＲＮＣ ＲＬセットアップ要求ユニット３１１と、ＲＮＣ担当セル更新ユニット３１２とを含み；ノードＢ３２０は、ノードＢ ＲＬセットアップユニット３２１と、ノードＢ担当セル更新ユニット３２２とを含み、ノードＢ３２０は、ＣＦＮユニット３２３をさらに含んでいてもよい。
【００４８】
ＲＮＣ ＲＬセットアップ要求ユニット３１１は、ＲＬシグナリングで、ノードＢ ＲＬセットアップユニット３２１と対話する。シグナリングは、ＲＮＣ３１０によって送られたＲＬセットアップ要求と、ノードＢ３２０によって送られたＲＬ要求に対する応答とを含む。ＲＮＣ ＲＬセットアップ要求ユニット３１１は、ＲＬセットアップ要求を送ることによって、担当セル更新時間をノードＢ３２０に通知し；ＲＮＣ担当セルユニット３１２は、担当セル更新時間において、担当セルをノードＢ３２０セルに更新する。
【００４９】
受信されたＲＬセットアップ要求が、担当セル更新時間を含むとき、ノードＢ ＲＬセットアップユニット３２１は、担当セル更新時間を含む、ＲＬセットアップ要求中の担当セルハンドオフに関連するパラメータを、ノードＢ担当セル更新ユニット３２２に出力する。ノードＢ担当セル更新ユニット３２２は、ＲＬセットアップ要求中の関連するパラメータにしたがって、担当セル更新時間において、ノードＢセルを担当セルにハンドオフする。
【００５０】
担当セル更新時間は、担当セル更新ＣＦＮによって表されることが多く、担当セル更新ＣＦＮに対応する時間が、担当セル更新時間である。ＲＮＣ３１０は、担当セル更新ＣＦＮを伝える、ＲＬセットアップ要求にＣＦＮ情報エレメントを追加してもよく；担当セル更新ＣＦＮ情報エレメントは、ＲＬセットアップ要求中のオプション的セルであってもよい。
【００５１】
担当セルを更新するのにノードＢ３２０が必要とされる場合、ＲＮＣ３１０は、ＲＬセットアップ要求中に担当セル更新ＣＦＮ情報エレメントを含んでもよく、また一方で、ＲＮＣ３１０は、要求中で対応する担当ＲＬ情報を含み；担当セルを更新するのにノードＢ３２０が必要とされない場合、ＣＦＮはＲＬセットアップ要求中に含まれない。
【００５２】
ノードＢ３２０のノードＢ ＲＬセットアップユニット３２１は、リンク情報モジュールを含んでもよい。ノードＢ ＲＬセットアップユニット３２１が、担当セル更新ＣＦＮを含む、ＲＬセットアップ要求を受信する場合、リンク情報モジュールが、担当セル更新ＣＦＮの妥当性状態を検出し、すなわち、ＲＬセットアップ要求が、担当セル更新に対応する担当ＲＬ情報を含むか否かを検出し；含むある場合、担当セル更新時間を含む、ＲＬセットアップ要求中の担当セルハンドオフに関連するパラメータが、ノードＢ担当セル更新ユニット３２２に出力され；含まない場合、ノードＢ ＲＬセットアップユニット３２１が、失敗の応答をＲＮＣ３１０に戻す。
【００５３】
先行技術のすべての再構成準備完了シグナリングが、ＲＬセットアップ要求の情報エレメント構造中に含まれるので、また、先行技術において、担当セルを更新するとき、再構成シグナリング中の有効なパラメータだけが、担当セル更新ＣＦＮを含む。したがって、本発明の実施形態では、担当セル更新ＣＦＮを、ＲＬセットアップ要求中に追加して、ノードＢシグナリングフローを簡潔にしており、このことは、機能に関する先行技術の要求を完全に満たし、担当セルの処理速度を改善し、サービススループットとソフトスイッチに影響を及ぼすことなく、全体のシステムのシグナリング処理の遅延を短縮させる。対話シグナリングの減少は、送信リソースを節約する。
【００５４】
上記の担当セルの更新は、ＨＳＤＰＡ担当セル、ＨＳＵＰＡ担当セル、または、ＨＳＤＰＡおよびＨＳＵＰＡ担当セルの更新であってもよく、すなわち、ＲＬセットアップ要求中のＨＳＤＰＡおよびＨＳＵＰＡに関連するＩＥの存在に依拠した、ＨＳＰＡ担当セルの更新であってもよい。
【００５５】
上記のことは、本発明の好ましい実施形態に過ぎず、本発明を制限することを意図していないことを理解すべきである。本発明の原則から逸脱していない、何らかの修正、均等物、置換、および改良は、本発明の保護の範囲内に収まることになる。
【図１】
2010501152.tif 000003
【図２】
2010501152.tif 000004
【図３】
2010501152.tif 000005
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
無線ネットワーク制御装置（ＲＮＣ）から、担当セル更新時間を含む無線リンク（ＲＬ）セットアップ要求を受信することと、
前記無線リンクセットアップ要求にしたがって、前記更新時間において、ノードＢセルを担当セルへとハンドオフすることと
を含む、担当セルを更新する方法。
【請求項２】
前記ＲＬセットアップ要求は、担当セル更新接続フレーム番号（ＣＦＮ）情報エレメントを含み、前記担当セル更新ＣＦＮ情報エレメントは、担当セル更新のＣＦＮを伝え、前記更新時間は、前記担当セル更新ＣＦＮによって指示される時間である、請求項１記載の担当セルを更新する方法。
【請求項３】
ノードＢセルを担当セルへとハンドオフすることは、
前記担当セル更新ＣＦＮ情報エレメントが前記ＲＬセットアップ要求メッセージ中に含まれる場合、前記担当セル更新ＣＦＮ情報エレメントによって指示される時間において、前記ノードＢセルを前記担当セルへとハンドオフすること
を含む、請求項２記載の担当セルを更新する方法。
【請求項４】
前記担当セル更新ＣＦＮ情報エレメントが前記ＲＬセットアップ要求メッセージ中に含まれる場合、
前記無線リンクセットアップ要求にしたがって、前記更新時間において、ノードＢセルを担当セルへとハンドオフすることは、
前記ノードＢによって、次に来る担当セル更新ＣＦＮによって指示される時間において、新しい担当ＲＬに対して割り当てられたリソースを起動させること
をさらに含む、請求項２記載の担当セルを更新する方法。
【請求項５】
前記担当セル更新ＣＦＮ情報エレメントが前記ＲＬセットアップ要求メッセージ中に含まれない場合、前記方法は、
前記ノードＢセルのＲＬをセットアップするが、前記ノードＢセルを前記担当セルへとハンドオフしないこと
をさらに含む、請求項２記載の担当セルを更新する方法。
【請求項６】
ＲＬセットアップ応答を前記ＲＮＣに送ることと、
ユーザ機器が、前記担当セル更新ＣＦＮによって指示される時間において、前記ノードＢセルを前記担当セルへとハンドオフするように、前記ＲＮＣによって、ＲＬアクティブセット更新を前記ユーザ機器に送ることと
をさらに含む、請求項２記載の担当セルを更新する方法。
【請求項７】
前記ＲＬセットアップ要求が、前記担当セル更新に対応する担当ＲＬ情報を含んでいない場合、ＲＬセットアップ失敗応答を前記ＲＮＣに戻すこと
をさらに含む、請求項１ないし６のいずれか１項記載の担当セルを更新する方法。
【請求項８】
前記担当セルは、高速ダウンリンクパケット接続担当セル、高速アップリンクパケット接続担当セル、または、高速パケット接続担当セルである、請求項１ないし６のいずれか１項記載の担当セルを更新する方法。
【請求項９】
ＲＬセットアップ要求を送ることにより、担当セル更新時間をノードＢに通知するように適応されている、ＲＮＣ無線リンク（ＲＬ）セットアップユニットと、
前記更新時間にしたがって、担当セルを前記ノードＢセルへとハンドオフするように適応されている、ＲＮＣ担当セル更新ユニットと
を具備する、担当セルを更新する装置。
【請求項１０】
前記ＲＬセットアップ要求は、担当セル更新接続フレーム番号（ＣＦＮ）情報エレメントを含み、前記担当セル更新ＣＦＮ情報エレメントは、担当セル更新のＣＦＮを伝え、前記更新時間は、前記担当セル更新ＣＦＮによって指示される時間である、請求項９記載の担当セルを更新する装置。
【請求項１１】
前記装置はＲＮＣである、請求項９または１０記載の担当セルを更新する装置。
【請求項１２】
ＲＬセットアップ要求中で伝えられる担当セル更新時間を受信するように適応されている、ノードＢ無線リンク（ＲＬ）セットアップユニットと、
前記担当セル更新時間において、ノードＢセルを担当セルへとハンドオフするように適応されているノードＢ担当セル更新ユニットと
を具備する、担当セルを更新する装置。
【請求項１３】
前記ＲＬセットアップ要求は、担当セル更新接続フレーム番号ＣＦＮ情報エレメントを含み、前記担当セル更新ＣＦＮ情報エレメントは、担当セル更新のＣＦＮを伝え、前記更新時間は、前記担当セル更新ＣＦＮによって指示される時間である、請求項１２記載の担当セルを更新する装置。
【請求項１４】
前記ノードＢ ＲＬセットアップユニットは、リンク情報モジュールをさらに備え、前記リンク情報モジュールは、前記ＲＬセットアップ要求が、前記担当セル更新に対応する担当ＲＬ情報を含むか否か検出するように適応されており；含む場合、前記ノードＢ ＲＬセットアップユニットによって、前記担当セル更新時間を前記担当セル更新ユニットに出力し；含まない場合、前記ノードＢ ＲＬセットアップユニットによって、ＲＬセットアップ失敗応答を戻す、請求項１３記載の担当セルを更新する装置。
【請求項１５】
前記装置はノードＢである、請求項１２ないし１４のいずれか１項記載の担当セルを更新する装置。
【手続補正２】
【補正対象書類名】明細書
【補正対象項目名】全文
【補正方法】変更
【補正の内容】
【発明の詳細な説明】
【関連出願に対する相互参照】
【０００１】
本出願は、２００７年６月１１日に出願された、国際特許出願第２００７／００１８３５号に対する優先権を主張し、国際特許出願第２００７／００１８３５号は、２００６年８月８日に出願された、中国特許出願第２００６１００６２２２０．２号、および、２００６年１２月３０日に出願された、中国特許出願第２００６１０１３０７６９．０号に対する優先権を主張する。上記の特許出願は、その全体において、ここで参照により組み込まれている。本発明は、２００６年８月８日に出願され、“担当セルを更新するための方法と装置”と題された、中国特許出願第２００６１００６２２２０．２号、および、２００６年１２月３０日に出願され、“担当セルを更新するための方法と装置”と題された、中国特許出願第２００６１０１３０７６９．０号に対する優先権を主張し、これらの中国特許出願は、その全体において、ここで参照により組み込まれている。
【発明の分野】
【０００２】
本発明は、移動体通信の分野に関連し、より詳細には、担当セルを更新するための方法と装置に関連する。
【背景技術】
【０００３】
高速ダウンリンクパケット接続（ＨＳＤＰＡ）は、ダウンリンクデータレートを改善して、アップリンク／ダウンリンクデータサービスの非対称の要求を満たすための、３ＧＰＰ Ｒ５において提案されている技術である。ＨＳＤＰＡは、広帯域コード分割多元接続（ＷＣＤＭＡ）システムの進展の次のステップであるとして考えられており、以前のＷＣＤＭＡ構造に基づいて、データをダウンロードするための送信レートを１４．４Ｍｂｐｓにまで改善できる。ＷＣＤＭＡネットワークを構築する後半の段階において、ダウンリンク容量と、データサービスのレートを改善するために、この技術が重要である。これは、チャネルコードと送信電力における、ＨＳＤＰＡの共用を実現し、適応的変調コーディング（ＡＭＣ）、ハイブリッド自動再送要求（ＨＡＲＱ）、高速スケジューリングのような、データレートをさらに改善する技術を採用する。このようにして、ＨＳＰＤＡは、システム容量と、スペクトル効率と、サービス品質（ＱｏＳ）とを大いに改善する。
【０００４】
ＨＳＤＰＡシステムにおいて、高速ダウンリンク共用チャネル（ＨＳ−ＤＳＣＨ）は、ユーザデータを送信するように適応されており、ＨＳ−ＤＳＣＨは、複数のユーザのデータを送信できる。ＨＳ−ＤＳＣＨ上で伝えられるすべてのユーザは、時間とチャネルコードによって、ＨＳ−ＤＳＣＨを共用することができる。ＨＳ−ＤＳＣＨは、２ミリ秒毎にデータを送信し、すなわち、送信時間間隔（ＴＴＩ）は、２ミリ秒である。異なるユーザは、異なるＴＴＩにおいてデータを送信でき、または、異なるチャネルコードを使用することによって、同一のＴＴＩにおいてデータを送信できる。
【０００５】
ＨＳＤＰＡ物理層において、高速物理ダウンリンク共用チャネル（ＨＳ−ＰＤＳＣＨ）と、ＨＳ−ＤＳＣＨのための共用制御チャネル（ＨＳ−ＳＣＣＨ）とがダウンリンクに追加され、ＨＳ−ＤＳＣＨのための専用物理制御チャネル（ＨＳ−ＤＰＣＣＨ）がアップリンクに追加される。ＨＳＤＰＡは、ソフトハンドオフをサポートせず、すなわち、１つのセルだけのＨＳ−ＰＤＳＣＨが、それぞれのユーザ機器（ＵＥ）にデータを送信する。したがって、セルは、ＨＳＤＰＡ担当セルと呼ばれる。
【０００６】
ＨＳＤＰＡが導入された後、高速アップリンクパケットアクセス（ＨＳＵＰＡ）もまた導入され、ダウンリンク上の負荷の増加によってもたらされるアップリンク容量の不足を防止して、平均アップリンクスループット、システムおよび単一ユーザの容量をさらに改善し、遅延を減少させており、したがって、マルチメディアサービスと送信パケットをよりよく配備している。これは、３ＧＰＰ Ｒ６によって導入された、アップリンク送信レートを改善するための新しい技術である。これは、ノードＢの高速スケジューリングと、物理層中のＨＡＲＱと、ソフトハンドオフと、２ミリ秒ＴＴＩショートフレーム送信技術とを採用する。理論上では、これは、最大５．７６Ｍｂｐｓのレートをサポートする。
【０００７】
ＨＳＵＰＡは、拡張専用チャネル（Ｅ−ＤＣＨ）を主に追加する。これは、物理層中に以下の物理チャネルを追加する：アップリンク上に、Ｅ−ＤＣＨ専用物理制御チャネル（Ｅ−ＤＰＣＣＨ）と、Ｅ−ＤＣＨ専用物理データチャネル（Ｅ−ＤＰＤＣＨ）とを追加し、ダウンリンク上に、Ｅ−ＤＣＨ絶対グラントチャネル（Ｅ−ＡＧＣＨ）と、Ｅ−ＤＣＨ相対グラントチャネル（Ｅ−ＲＧＣＨ）と、Ｅ−ＤＣＨ ＨＡＲＱ肯定応答インジケータチャネル（Ｅ−ＨＩＣＨ）とを追加する。アップリンクＥ−ＤＰＤＣＨを適応させて、アップリンク上でＨＳＵＰＡユーザのデータを伝え、Ｅ−ＤＰＣＣＨを適応させて、Ｅ−ＤＰＤＣＨ上で関係するシグナリングを伝え、復調する。ダウンリンクＥ−ＡＧＣＨは、共通チャネルであり、その中にユーザの担当Ｅ−ＤＣＨのＲＬが存在するセルは、利用可能な最大送信レートまたは最大電力をＵＥに指示し；ダウンリンクＥ−ＲＧＣＨは、専用チャネルであり、２ミリ秒の間隔で、ＵＥのアップリンク送信レートを調整でき；ダウンリンクＥ−ＨＩＣＨは、専用チャネルであり、プロセス中でユーザによって受信されたデータが、正しいか否かチェックし、肯定応答（ＡＣＫ）情報エレメントと、否定肯定応答（ＮＡＣＫ）情報エレメントとを報告するように適応されている。
【０００８】
ＨＳＵＰＡは、ソフトハンドオフをサポートする。ＵＥは、複数のセルとのＥ−ＤＣＨを確立できる。それぞれのセルは、ダウンリンク上で、Ｅ−ＲＧＣＨと、Ｅ−ＨＩＣＨとを持つことができるが、それぞれのＵＥは、あるセル中のＥ−ＡＧＣＨの絶対グラントだけを受信し、これをＨＳＵＰＡ担当セルと呼ぶ。
【０００９】
ＵＥのアップリンクおよびダウンリンクサービスが、Ｅ−ＤＣＨおよびＨＳ−ＤＳＣＨ上で伝えられる場合、ＵＥのＨＳＤＰＡ担当セルと、ＵＥのＨＳＵＰＡ担当セルとは、同一でなければならない。このケースでは、このセルは、高速パケットアクセス（ＨＳＰＡ）担当セルと呼ばれる。
【００１０】
あるノードＢのセルから別のノードＢのセルに、ＵＥをハンドオフする必要があるとき、ＵＥは、通常、現在のアクティブセットに対してソフトハンドオフを追加し、ＨＳＵＰＡ、ＨＳＤＰＡ、または、ＨＳＰＡ担当セルに対する新しいセルを構成する要求を開始する。図１は、ネットワーク側におけるシグナリングフローを示す。
【００１１】
１０１：ＲＮＣが、ＲＬセットアップ要求をターゲットノードＢに送り、ターゲットノードＢのセルにおいて、ＵＥに対するＲＬをセットアップする。
【００１２】
１０２：ＲＮＣは、ターゲットノードＢからＲＬセットアップ応答を受信する。
【００１３】
１０３：ＲＮＣは、ターゲットノードＢに対する、ＲＬの再構成を開始し、ＲＬ再構成準備シグナリングによって、ＨＳＰＡ担当セルの新しいセルを構成することをターゲットノードＢに通知する。
【００１４】
１０４：ＲＮＣは、ターゲットノードＢから、ＲＬ再構成準備完了情報エレメントを受信する。
【００１５】
１０５：ＲＮＣは、接続フレーム番号（ＣＦＮ）を含む、ＲＬ再構成コミットシグナリングをターゲットノードＢに送る。
【００１６】
ＣＦＮは、専用無線フレームに基づいた、ＵＥ、ＲＮＣ、およびノードＢに対する統一されたタイミングである。これは、ＣＦＮ時間を指定し、この時間において、ＵＥ、ＲＮＣ、およびターゲットノードＢが、ＲＬ再構成準備シグナリング中のパラメータにしたがって、ターゲットノードＢセルを担当セルとして同時に変更する。ＣＦＮの値は、０から２５５の範囲に及ぶ。
【００１７】
１０６：ＲＮＣは、ＲＬ再構成準備シグナリングによって、オリジナルノードＢのセルを設定するためのパラメータを、オリジナルノードＢの非−ＨＳＰＡ担当セルに送る。
【００１８】
１０７：ＲＮＣは、オリジナルノードＢから、ＲＬ再構成準備完了シグナリングを受信する。
【００１９】
１０８：ＲＮＣは、ＣＦＮを含む、ＲＬ再構成コミットシグナリングをオリジナルノードＢに送る。
【００２０】
ＣＦＮ時間において、オリジナルノードＢは、担当セルとしてセルを使用することを停止する。
【００２１】
１０９：ＲＮＣは、ＲＬアクティブセット更新シグナリングをＵＥに送って、ＣＦＮ時間において、新しいセルを担当セルとして使用し始めることを、ＵＥに通知する。
【００２２】
１１０：ＵＥによって、ＲＬアクティブセットを更新すると、ＵＥは、アクティブセット更新完了情報エレメントをＲＮＣに報告する。
【００２３】
以前の、ターゲットノードＢ中の担当セル更新フローが、２つのステップをカバーすることが分かり、すなわち、新しいセル中でＲＬをセットアップするステップと、再構成シグナリングを通して担当セルを更新するステップとである。結果として、少なくとも５つのシグナリングが、ＲＮＣとノードＢとの間で対話される必要があり、これによって、送信リソースを浪費しており、フロー効率を低下させている。シグナリング対話は、担当セルを更新するのに必要とされる時間を延長させるかもしれず、サービススループットを低減させるかもしれず、ソフトスイッチの失敗さえも、もたらすかもしれない。
【発明の概要】
【００２４】
本発明の実施形態は、担当セルを更新するための方法および装置を提供して、その中で、あるノードＢのセルから別のノードＢのセルに、ＵＥをハンドオフする必要がある担当セル更新フローを簡潔にし、システム中のシグナリングフローの数と、リソースの浪費とを減少させる。
【００２５】
上記の目的を達成するために、本発明の実施形態は、担当セルを更新する方法を提供する。方法は、無線ネットワーク制御装置（ＲＮＣ）から、担当セル更新時間を含む無線リンク（ＲＬ）セットアップ要求を受信することと、無線リンクセットアップ要求にしたがって、更新時間において、ノードＢセルを担当セルへとハンドオフすることとを含む。
【００２６】
好ましくは、本発明の実施形態は、担当セルを更新する装置をさらに提供する。装置は、ＲＬセットアップ要求を送ることにより、担当セル更新時間をノードＢに通知するように適応されている、ＲＮＣ無線リンク（ＲＬ）セットアップユニットと、更新時間にしたがって、担当セルをノードＢセルへとハンドオフするように適応されている、ＲＮＣ担当セル更新ユニットとを具備する。
【００２７】
本発明の実施形態は、別の担当セル制御装置をさらに提供し、装置は、ＲＬセットアップ要求中で伝えられる担当セル更新時間を受信するように適応されている、ノードＢ無線リンク（ＲＬ）セットアップユニットと、担当セル更新時間において、ノードＢセルを担当セルへとハンドオフするように適応されているノードＢ担当セル更新ユニットとを具備する。
【００２８】
本発明の実施形態において、ノードＢは、ＲＬセットアップ要求シグナリング中で、担当セル更新ＣＦＮを通知され；したがって、本発明の実施形態は、ターゲットノードＢ ＲＬ再構成のシグナリング対話プロセスを省略し、一方で、担当セル更新の間の、ターゲットノードＢのシグナリングフローを簡潔にして、機能に関する先行技術の要求を完全に満たし、担当セルの処理速度を改善し、サービススループットとソフトスイッチに影響を及ぼすことなく、全体のシステムのシグナリング処理の遅延を短縮させる。対話シグナリングの減少は、送信リソースを節約する。
【図面の簡単な説明】
【００２９】
【図１】図１は、先行技術の通信システムにおける担当セルハンドオフを示すフローチャートである。
【図２】図２は、本発明において担当セルを更新する方法の実施形態を示すフローチャートである。
【図３】図３は、本発明において担当セルを更新するシステムの実施形態を示す構造図である。
【詳細な説明】
【００３０】
以下では、図面に基づいて、本発明をさらに詳細に説明して、本発明の目的、技術的スキーム、および利点をより明らかにする。
【００３１】
ＲＬセットアップ要求中にオプション的な担当セル更新ＣＦＮ情報エレメントを追加することによって、本発明の実施形態を実現してもよく、担当セル更新ＣＦＮ情報エレメントは、担当セル更新ＣＦＮによって指示される時間において、ノードＢが、ノードＢセルを担当セルに更新することを指示する、担当セル更新のＣＦＮを含む。ノードＢの新しいセルに対して、または、ターゲットノードＢのセルに対して、ＵＥがハンドオフされるとき、担当セルをターゲットノードＢのセルへと更新する必要がある場合、ＲＬセットアップ要求中の担当セル更新ＣＦＮ情報エレメントが有効であり、ＲＮＣは、担当セル更新ＣＦＮ情報エレメントにしたがって、ノードＢが担当セルを更新し始める時間を設定する。
【００３２】
担当セル更新ＣＦＮ情報エレメントがオプション的であるとき、ＲＮＣは、担当セル更新ＣＦＮ情報エレメントを、ＲＬセットアップ要求中に含めることによって、または、ＲＬセットアップ要求から除外することによって、担当セルを更新するか否かをノードＢに通知することを実現してもよい。言い換えると、受信されたＲＬセットアップ要求が、担当セル更新ＣＦＮ情報エレメントを含む場合、ノードＢは、ＲＬセットアップ要求にしたがって、ＲＬをセットアップするだけでなく、また、担当セル更新ＣＦＮ情報エレメントによって指示される時間にしたがって、ノードＢセルを担当セルへとハンドオフする。先行技術におけるもののように、担当セル更新ＣＦＮ情報エレメントがＲＬセットアップ要求中に含まれていない場合、ノードＢは、ノードＢセルを担当セルへとハンドオフすることなく、ＲＬセットアップ要求にしたがって、ＲＬをセットアップするだけである。
【００３３】
ＲＬセットアップ要求が、担当セル更新ＣＦＮ情報エレメントだけでなく、対応する担当ＲＬ情報も含む場合、ＲＬセットアップ要求中の担当セル更新ＣＦＮ情報エレメントは有効であり；ＲＬセットアップ要求が、担当セル更新ＣＦＮ情報エレメントを含むが、対応する担当ＲＬ情報は含まないとき、担当セル更新ＣＦＮ情報エレメントは無効であり、ノードＢは失敗の応答を戻す。
【００３４】
図２は、本発明の実施形態において、ノードＢの間で担当セルが更新されるフロー図を示す。
【００３５】
２０１：ＲＮＣは、担当セル更新ＣＦＮ情報エレメントを含む、ＲＬセットアップ要求を送り、これは、担当セルを更新するための時間をターゲットノードＢに通知して、ターゲットノードＢのセル中のＵＥに対して、ＲＬをセットアップさせるように構成されている。
【００３６】
２０２：ＲＮＣは、ターゲットノードＢから、ＲＬセットアップ応答を受信する。
【００３７】
ＲＬセットアップ要求中の担当セル更新ＣＦＮ情報エレメントが有効である場合、ターゲットノードＢは、次に来るＣＦＮによって指示される時間において、新しい担当ＲＬに対して割り当てられたリソースを起動させる。
【００３８】
ＲＬセットアップ要求中の担当セル更新ＣＦＮ情報エレメントは有効であるが、ＲＬセットアップ要求中に対応する担当ＲＬ情報が何もない場合、ターゲットノードＢは、ＲＬセットアップ失敗メッセージをＲＮＣに戻す。
【００３９】
２０３：ＲＮＣは、ＲＬ再構成準備シグナリングによって、ノードＢ中のオリジナルセルを非−ＨＳＰＡ担当セルに設定するためのパラメータをオリジナルノードＢに送る。
【００４０】
２０４：ＲＮＣは、オリジナルノードＢから、ＲＬ再構成準備完了シグナリングを受信する。
【００４１】
２０５：ＲＮＣは、担当セル更新ＣＦＮ情報エレメントを含む、ＲＬ再構成開始シグナリングをオリジナルノードＢに送る。
【００４２】
担当セル更新ＣＦＮ情報エレメントによって指示される時間において、オリジナルノードＢは、オリジナルノードＢセルを担当セルとして使用するのを停止する。
【００４３】
２０６：ＲＮＣは、ＲＬアクティブセット更新をＵＥに送って、担当セル更新ＣＦＮ情報エレメントによって指示される時間において、ターゲットノードＢセルを担当セルへとハンドオフするようにＵＥに通知する。
【００４４】
２０７：ＲＬアクティブセットを更新すると、ＵＥは、アクティブセット更新完了をＲＮＣに報告する。
【００４５】
プログラムによって、関連するハードウェアに命令することを通して、上記の方法の実施形態における、すべてまたは一部のステップが実現されることを当業者は理解するだろう；コンピュータの読取可能記憶媒体中にプログラムを記憶させてもよく；実行されるときに、プログラムは、上記の方法の実施形態における、すべてまたは一部のステップを含んでいてもよい。記憶媒体は、読出専用記憶媒体、ランダムアクセスメモリ、磁気ディスク、コンパクトディスク等であってもよい。
【００４６】
本発明の担当セルを更新するためのシステムの実施形態は、図３に示すような構造を持っていてもよい。
【００４７】
ＲＮＣ３１０は、ＲＮＣ ＲＬセットアップ要求ユニット３１１と、ＲＮＣ担当セル更新ユニット３１２とを含み；ノードＢ３２０は、ノードＢ ＲＬセットアップユニット３２１と、ノードＢ担当セル更新ユニット３２２とを含む。
【００４８】
ＲＮＣ ＲＬセットアップ要求ユニット３１１は、ＲＬシグナリングで、ノードＢ ＲＬセットアップユニット３２１と対話する。シグナリングは、ＲＮＣ３１０によって送られたＲＬセットアップ要求と、ノードＢ３２０によって送られたＲＬ要求に対する応答とを含む。ＲＮＣ ＲＬセットアップ要求ユニット３１１は、ＲＬセットアップ要求を送ることによって、担当セル更新時間をノードＢ３２０に通知し；ＲＮＣ担当セルユニット３１２は、担当セル更新時間において、担当セルをノードＢ３２０セルに更新する。
【００４９】
受信されたＲＬセットアップ要求が、担当セル更新時間を含むとき、ノードＢ ＲＬセットアップユニット３２１は、担当セル更新時間を含む、ＲＬセットアップ要求中の担当セルハンドオフに関連するパラメータを、ノードＢ担当セル更新ユニット３２２に出力する。ノードＢ担当セル更新ユニット３２２は、ＲＬセットアップ要求中の関連するパラメータにしたがって、担当セル更新時間において、ノードＢセルを担当セルにハンドオフする。
【００５０】
担当セル更新時間は、担当セル更新ＣＦＮによって表されることが多く、担当セル更新ＣＦＮに対応する時間が、担当セル更新時間である。ＲＮＣ３１０は、担当セル更新ＣＦＮを伝える、ＲＬセットアップ要求にＣＦＮ情報エレメントを追加してもよく；担当セル更新ＣＦＮ情報エレメントは、ＲＬセットアップ要求中のオプション的セルであってもよい。
【００５１】
担当セルを更新するのにノードＢ３２０が必要とされる場合、ＲＮＣ３１０は、ＲＬセットアップ要求中に担当セル更新ＣＦＮ情報エレメントを含んでもよく、また一方で、ＲＮＣ３１０は、要求中で対応する担当ＲＬ情報を含み；担当セルを更新するのにノードＢ３２０が必要とされない場合、ＣＦＮはＲＬセットアップ要求中に含まれない。
【００５２】
ノードＢ３２０のノードＢ ＲＬセットアップユニット３２１は、リンク情報モジュールを含んでもよい。ノードＢ ＲＬセットアップユニット３２１が、担当セル更新ＣＦＮを含む、ＲＬセットアップ要求を受信する場合、リンク情報モジュールが、担当セル更新ＣＦＮの妥当性状態を検出し、すなわち、ＲＬセットアップ要求が、担当セル更新に対応する担当ＲＬ情報を含むか否かを検出し；含むある場合、担当セル更新時間を含む、ＲＬセットアップ要求中の担当セルハンドオフに関連するパラメータが、ノードＢ担当セル更新ユニット３２２に出力され；含まない場合、ノードＢ ＲＬセットアップユニット３２１が、失敗の応答をＲＮＣ３１０に戻す。
【００５３】
先行技術のすべての再構成準備完了シグナリングが、ＲＬセットアップ要求の情報エレメント構造中に含まれるので、また、先行技術において、担当セルを更新するとき、再構成シグナリング中の有効なパラメータだけが、担当セル更新ＣＦＮを含む。したがって、本発明の実施形態では、担当セル更新ＣＦＮを、ＲＬセットアップ要求中に追加して、ノードＢシグナリングフローを簡潔にしており、このことは、機能に関する先行技術の要求を完全に満たし、担当セルの処理速度を改善し、サービススループットとソフトスイッチに影響を及ぼすことなく、全体のシステムのシグナリング処理の遅延を短縮させる。対話シグナリングの減少は、送信リソースを節約する。
【００５４】
上記の担当セルの更新は、ＨＳＤＰＡ担当セル、ＨＳＵＰＡ担当セル、または、ＨＳＤＰＡおよびＨＳＵＰＡ担当セルの更新であってもよく、すなわち、ＲＬセットアップ要求中のＨＳＤＰＡおよびＨＳＵＰＡに関連するＩＥの存在に依拠した、ＨＳＰＡ担当セルの更新であってもよい。
【００５５】
上記のことは、本発明の好ましい実施形態に過ぎず、本発明を制限することを意図していないことを理解すべきである。本発明の原則から逸脱していない、何らかの修正、均等物、置換、および改良は、本発明の保護の範囲内に収まることになる。
【国際調査報告】
2010501152.tif 000006
2010501152.tif 000007
2010501152.tif 000008
2010501152.tif 000009
2010501152.tif 000010
2010501152.tif 000011